(57)【要約】【課題】アナモルフィックレンズを用いて撮影を行うときの操作性を向上させる。【解決手段】アナモルフィックコンバータレンズ１は、取り付け筒３、回転筒５、切り替え筒７、レンズ９により構成される。回転筒５の後端は取り付け筒３に取り付けられる。取り付け筒３は回転筒５の回転負荷を軽減するベアリングとしても機能する。回転筒５の先端には、錘７ｂにより回転筒５の回転方向の重心位置を切り替える切り替え筒７が回転可能に取り付けられる。レンズ９は、被写体を一方向に圧縮するアナモルフィックレンズであり回転筒５の開口５ｃに組み込まれる。取り付け筒３をカメラの撮影レンズ前方に取り付けると、回転筒５は切り替え筒７とともに重り７ｂを鉛直方向に向けるように回転するので、カメラの姿勢にかかわらず被写体の圧縮方向を常に一定にすることができる。【選択図】　　　　図３
2004118056.tif 000002
【特許請求の範囲】
【請求項１】
カメラの撮影レンズ前方に取り付けられる取り付け筒と、この取り付け筒に、撮影光軸に垂直な面で回転自在となるように保持された回転筒と、この回転筒に組み込まれたアナモルフィックレンズとを備えたアナモルフィックコンバータレンズにおいて、
前記カメラの姿勢に応じて回転筒を回転させる回転手段を設け、かつこの回転手段を、被写体圧縮方向を常に水平方向にする第１の状態と、被写体圧縮方向を常に鉛直方向にする第２の状態との間で切り替えられるようにしたことを特徴とするアナモルフィックコンバータレンズ。
【請求項２】
前記回転手段は、取り付け筒と回転筒との間に組み込まれ、回転筒の回転負荷を軽減するベアリングと、回転筒の外周に取り付けられ、回転筒の回転方向の重心位置を偏芯させる錘とからなり、回転筒に対する錘の位置を移動させることで、前記第１の状態と第２の状態との間の切り替えを行うことを特徴とする請求項１記載のアナモルフィックコンバータレンズ。
【発明の詳細な説明】
【０００１】
【発明の属する技術分野】
本発明は、アナモルフィックコンバータレンズに関し、更に詳しくは被写体を好みの方向に圧縮して撮影することを可能にするアナモルフィックコンバータレンズに関するものである。
【０００２】
【従来の技術】
１眼レフカメラ、コンパクトカメラ、レンズ付きフィルムユニット、ビデオカメラなどの様々なカメラでは、被写体像を効果的に演出するために、様々な特殊撮影効果をもたらす各種の特殊撮影フィルタを撮影レンズの前方等に取り付けることが行われている。このような特殊フィルタには、例えば、被写体画像の特定色を吸収する色付きフィルタ、縦又は横の比率を変化させるアナモルフィックコンバータレンズ、中央画像の周囲に相似形の画像を面の数だけ写し込む多重フィルタ等が一般に市販されている。
【０００３】
これら特殊フィルタのうち、被写体の１方向を圧縮することのできるアナモルフィックコンバータレンズは、被写体に「スリムになりたい。」「写真にはやせて写りたい。」という願望がある場合等に、被写体を横方向に圧縮してスリムに写すことができるといった撮影効果が演出できる。また、縦長の記念碑、看板などは、被写体を縦方向に圧縮することによって、記されている文字を見やすくすることができる。
【０００４】
アナモルフィックコンバータレンズとしては、特開平７−３３３４９７号公報に記載されているような凹状円柱面レンズと、凸状円柱面レンズの２種類のレンズを組み合わせたアナモルフィックレンズを撮影レンズ前方に取り付け、被写体を１方向に対して偏倍するものが知られている。
【０００５】
【発明が解決しようとする課題】
しかしながら、上述したような従来のアナモルフィックコンバータレンズは、カメラの角度を変えて撮影するときは、そのつどユーザ自身の手によってレンズの角度を切り替え、圧縮方向を決めなければならなかった。このために、操作手順が複雑で面倒であり、また、圧縮方向を間違えてしまうなどの誤操作も多くなってしまっていた。
【０００６】
本発明は上記背景を考慮してなされたもので、ユーザーの好みに応じて圧縮方向を選択的に切り替えることができ、かつ、一旦圧縮方向を切り替えた後は、カメラを回転させても、その圧縮方向が水平面に対して一定であるアナモルフィックコンバータレンズを提供することを目的とする。
【０００７】
【課題を解決するための手段】
上記目的を達成するために本発明のアナモルフィックコンバータレンズは、カメラの撮影レンズ前方に取り付けられる取り付け筒と、この取り付け筒に、撮影光軸に垂直な面で回転自在となるように保持された回転筒と、この回転筒に組み込まれたアナモルフィックレンズとを備えたアナモルフィックコンバータレンズにおいて、前記カメラの姿勢に応じて回転筒を回転させる回転手段を設け、かつこの回転手段を、被写体圧縮方向を常に水平方向にする第１の状態と、被写体圧縮方向を常に鉛直方向にする第２の状態との間で切り替えられるようにしたことを特徴としている。
【０００８】
前記回転手段を、取り付け筒と回転筒との間に組み込まれ、回転筒の回転負荷を軽減するベアリングと、回転筒の外周に取り付けられ、回転筒の回転方向の重心位置を偏芯させる錘として、回転筒に対する錘の位置を移動させることで、前記第１の状態と第２の状態との間の切り替えを行うようにしてもよい。
【０００９】
【発明の実施の形態】
図１、図２に示すように、アナモルフィックコンバータレンズ１は、例えば、コンパクトカメラの撮影レンズ前方に取り付けて使用するものである。そして、このアナモルフィックコンバータレンズ１を使用することによって、被写体を１方向に圧縮した画像が撮影できるようになる。
【００１０】
図３、図４、図５に示すように、アナモルフィックコンバータレンズ１は、取り付け筒３、回転筒５、切り替え筒７、レンズ９により構成されている。取り付け筒３は、円筒形をしており、外周を形成しカメラ２に取り付けられる取り付け部材３ａと、内周を形成し回転筒５が取り付けられる回転部材３ｂが、複数のベアリングボール１１を介して連結されたボールベアリングである。これにより、回転部材３ｂは、取り付け部材３ａの内側で回転自在である。
【００１１】
取り付け部材３ａの外周の一部には、ネジ部が設けられている。一方、コンパクトカメラ２には、撮影レンズ２ｂの周囲に、取り付け部材３ａと螺合するように内周がネジ部となっている円筒形の受け部２ａが設けてある。そして、取り付け部材３ａと受け部２ａを螺合させると、アナモルフィックコンバータレンズ１は、コンパクトカメラ２の撮影レンズ２ｂ前方に固定される。
【００１２】
回転部材３ｂの内周の一部には、回転筒５を取り付けるためのネジ部が設けられている。一方回転筒５の外周の一端には回転部材と螺合するようにネジ部５ｂが設けてある。回転部材３ｂとネジ部５ｂを螺合させることによって、回転部材３ａの内側に回転筒５は保持される。そして、回転部材３ａと回転筒５は、一体となって回転する。
【００１３】
回転筒５は、円筒形をしており、撮影光軸を開放する四角形の開口５ｃが設けられている。開口５ｃには、レンズ９が嵌め込まれる。図６に示すように、レンズ９は、撮影光軸方向から見ると正方形の凹状円柱面レンズ９ａ及び凸状円柱面レンズ９ｂより構成されるアナモルフィックレンズを使用している。このレンズ９を通すことによって被写体はＢ方向に圧縮される。
【００１４】
すなわち、図７（ｂ）に示すように、このレンズ９をＢ方向を水平にした状態でカメラ２の撮影レンズ２ｂの前方に配置すると、アナモルフィックレンズ非装着の場合を示す同図（ａ）に比べ、水平方向の画角が広がり、その結果、撮影される画像は、横方向に圧縮されたものとなる。同様に、同図（ｃ）に示すように、Ｂ方向を垂直にして配置すると、撮影される画像は、垂直方向に圧縮されたものとなる。
【００１５】
また、回転筒５の外周には、ネジ部５ｂの他に突条５ａが設けられている。突起５ａは、切り替え筒７を取り付けるためのものであり、回転筒５の外周の端部でネジ部５ｂの反対側に設けられている。
【００１６】
切り替え筒７は、錘７ｂと本体７ｃにより構成されたリング状の部材である。切り替え筒７は、内周に溝７ａが設けられており、この溝７ａに突条５ａが嵌め込まれ、切り替え筒７は、回転筒５の外側に配置される。切り替え筒７は、回転筒５に対して回転可能に設けられるが、溝７ａと突条５ａの間は、回転の際に摩擦が発生するようにしてあり、一定以上の力を加えた時にのみ回転するようになっている。
【００１７】
溝７ａと突条５ａの間に発生する摩擦力は、溝７ａと突条５ａの隙間の調節などをすることによって予め設定してあり、通常は回転筒５と切り替え筒７が一体となって回転するが、回転筒５を手で保持し、もう一方の手で切り替え筒７を回転させたときには、切り替え筒７が回転筒５に対して回転する程度のものである。
【００１８】
錘７ｂは、本体７ｃよりも比重の大きな材質により形成されているので、切り替え筒７の重心位置は、中心よりも錘７ｂ側に偏ったものとなっている。これによって、錘７ｂは、摩擦力により一体となって回転する回転筒５と切り替え筒７を自重によって回転させ、錘７ｂ部分を常に鉛直方向に向けさせる。
【００１９】
以下本発明のアナモルフィックコンバータレンズ１の作用について説明する。被写体を水平方向もしくは鉛直方向に圧縮して撮影をする場合、ユーザーはまず鏡筒本体３の取り付け部材３ａをカメラ２の受け部２ａにねじ込むことにより、アナモルフィックコンバータレンズ１をコンパクトカメラ２の撮影レンズ２ｂの前方に取り付ける。
【００２０】
回転筒５の前面には、「ＳＬＩＭ」、「ＦＡＴ」という指標が設けられている。また、切り替え筒７の前面には、三角形の矢印が設けられている。ユーザーは、回転筒５が回転しないように手で支えた後、もう一方の手で切り替え筒５を回転させて、矢印と回転筒５の指標とを合わせることで、画像の圧縮方向を切り替えることができる。
【００２１】
矢印を指標「ＳＬＩＭ」に合わせると、切り替え筒７の錘７ｂによって、回転筒５は、レンズ９のＢ方向を水平方向にするように回転をする。これにより、被写体を水平方向に圧縮した画像が撮影できる。このとき、コンパクトカメラ２を回転させながら撮影をしても、回転筒５は、錘７ｂによって、レンズ９のＢ方向を水平方向に保つように回転をするので、被写体の圧縮方向は水平方向のままである。
【００２２】
同様にして、指標「ＦＡＴ」に矢印を合わせると、被写体を垂直方向に圧縮した画像が撮影できる。このとき、コンパクトカメラ２を回転させながら撮影をしても、回転筒５は、錘７ｂによって、レンズ９のＢ方向を垂直方向に保つように回転をするので、被写体の圧縮方向は水平方向のままである。
【００２３】
このように、切り替え筒７によって決定された被写体の圧縮方向は、たとえユーザーがカメラの角度を変えたとしても、一定に保たれるので、ユーザーはカメラの角度に合わせてレンズの角度を切り替える必要がない。また、切り替え筒７を回転させるだけで、被写体の圧縮方向をユーザーの好みに合わせて変更できるので、操作が簡易であるとともに、操作ミス等によりユーザーの意図しない方向に圧縮されてしまうことがない。
【００２４】
上記実施例では、カメラに対して取り付け又は取り外しができるように、着脱自在であるアナモルフィックコンバータレンズの例について説明をしたが、本発明はこれに限られない。予め、カメラとアナモルフィックコンバータレンズが一体化しているものであってもよい。また、コンパクトカメラの撮影レンズの前方に取り付ける例で説明をしたが、その他のカメラ、例えば、１眼レフカメラ、ビデオカメラ、レンズ付きフイルムユニットなどのカメラに取り付けるようにしてもよい。
【００２５】
また、カメラの撮影レンズ前方のみに、アナモルフィックレンズを取り付ける例で説明をしたが、同様のアナモルフィックレンズをカメラのファインダレンズ前方に取り付け、撮影される画像に対応した被写体像をファインダレンズからも得られるようにしてもよい。なお、上記実施例では、回転手段として　錘とベアリングを用い、被写体の圧縮方向切の切り替えは、錘の位置を変えることで行う例で説明をしたが、例えば、ジャイロセンサのようなセンサを用いてカメラの姿勢を検知し、モーターのような駆動手段を用いてレンズを回転させるといったように電気的に制御するようにしてもよい。
【００２６】
【発明の効果】
以上詳細に説明したように、本発明のアナモルフィックコンバータレンズは、回転自在の回転筒にアナモルフィックレンズを配置し、この回転筒には、カメラの姿勢に応じて被写体の圧縮方向を一定に保つように回転する回転手段とともに、被写体の圧縮方向を切り替える切り替え手段とを設けたので、被写体をユーザーの好みの１方向に対して圧縮して撮影することが可能であると共に、被写体の圧縮される方向は、ユーザーが変更しない限りカメラの姿勢に関わらず一定に保たれるので、操作が簡易であり、また、操作ミスなどによりユーザーの意図しない方向に被写体が圧縮されてしまうことがない。
【図面の簡単な説明】
【図１】コンパクトカメラとアナモルフィックコンバータレンズの外観斜視図である。
【図２】コンパクトカメラにアナモルフィックコンバータレンズを取り付けたときの外観斜視図である。
【図３】アナモルフィックコンバータレンズの分解図である。
【図４】アナモルフィックコンバータレンズの正面図である。
【図５】アナモルフィックコンバータレンズの断面図である。
【図６】アナモルフィックレンズの外観斜視図である。
【図７】アナモルフィックレンズ使用による画角と撮影画像の変化を表す説明図である。
【符号の説明】
１　アナモルフィックコンバータレンズ
２　コンパクトカメラ
２ｂ　撮影レンズ
３　取り付け筒
５　回転筒
７　切り替え筒
７ｂ　錘
９　レンズ
【図１】
2004118056.tif 000003
【図２】
2004118056.tif 000004
【図３】
2004118056.tif 000005
【図４】
2004118056.tif 000006
【図５】
2004118056.tif 000007
【図６】
2004118056.tif 000008
【図７】
2004118056.tif 000009